(57)【要約】【課題】遊技機の前面扉が全開状態からさらに開方向に押圧された際に、キャビネットボックスの構成部材に過大なモーメント負荷を与えず、撓み変形などを防止してキャビネットボックスの剛性を向上させる。【解決手段】  板金部材で形成されるキャビネットボックス１の内壁面に設けられてヒンジ金具５を固定するねじを受容するための雌ねじ部材７３と、雌ねじ部材７３に対してキャビネットボックス１の前面開口側に位置して設けられてヒンジ金具５を支持する支持辺Ｅとを備える構成とする。また、雌ねじ部材７３および支持辺Ｅを一体の枠杆１０ｃに設け、枠杆１０ｃをキャビネットボックス１の前面開口の一側縁に取り付ける構成とする。【選択図】図１
2005198946.tif 000002
【特許請求の範囲】
【請求項１】
金属材料の板金部材で形成されて前面開口を有して略矩形箱状に形成されたキャビネットボックスと、前記キャビネットボックスの前記前面開口を覆って取り付けられる前面扉と、前記キャビネットボックス内および前記前面扉に配設される遊技装置とから構成される遊技機において、
前記キャビネットボックスと前記前面扉は互いの一側縁においてヒンジ金具を介して連結されており、
前記キャビネットボックスの内壁面に設けられて前記ヒンジ金具を固定するネジを受容するための雌ねじ部材と、
前記雌ねじ部材に対して前記前面開口側に位置し、前記ヒンジ金具を支持する支持辺とが設けられて構成されることを特徴とするキャビネットボックス。
【請求項２】
前記雌ねじ部材と前記支持辺とは一体の枠杆に設けられ、
前記枠杆が前記キャビネットボックスにおける前記前面開口の一側縁に取り付けられて構成されることを特徴とする請求項１に記載のキャビネットボックス。
【発明の詳細な説明】
【技術分野】
【０００１】
本発明は、遊技機のキャビネットボックスに関するもので、さらに詳しくは、金属製キャビネットボックスの前面開口縁部の構成に関するものである。
【背景技術】
【０００２】
キャビネットボックスを有する遊技機として、スロットマシン、ポーカーゲーム等のメダル遊技機がある。例えば、スロットマシンにおいては、前面側に開口部を有して略矩形箱状に形成されたキャビネットボックスと、このキャビネットボックスの前面開口を覆ってヒンジ金具を介して開閉自在に取り付けられた前面扉とからなる筐体内に、電源ボックス、リール装置、制御基板、メダル払出装置等の各遊技装置が配設されて構成される。
【０００３】
現在キャビネットボックスは、厚さ9〜15mm程度のパーチクルボードや積層合板等の木材パネルを主要材料として構成されている。しかし、木材は電磁波シールド性に乏しく、外来ノイズに起因する誤作動防止のためにキャビネットボックス内面にシールド塗装が施されるが、製造工程が複雑化する上、塗装によるシールド効果が万全とは言い難いという問題があった。さらに、木材に塗装するシールド塗料が金属を含有していることや、組立工程で木材に埋入される金属部材を分離回収することが困難なことから廃棄処理上においても問題があった。
【０００４】
これらを鑑みて、シールド性が高く且つリサイクルルートが確立されている鋼板等の金属材で形成されるキャビネットボックスの実用が検討されている。しかしながら、主要構成材料を金属材とすると、木材よりも比重が大きいことから従来のものと同重量とするには部材の厚さを薄くせざるを得ず（例えば、0.5mm〜1.0mm）、強度上懸念がある。
【発明の開示】
【発明が解決しようとする課題】
【０００５】
ところで、前面扉とキャビネットボックスとを連結するヒンジ金具は、前面扉を開放したときに隣接する遊技機と干渉したり、隣の遊技者の遊技の妨げとならないように１００度程度に開角規制して構成されている。また、図１２に金属材料を用いて構成した従来のキャビネットボックス１のヒンジ機構９５の構成例を示すように、このヒンジ機構９５の固定はねじ締結により行われ、金属製キャビネットにおいては、キャビネットボックス１の左側面１３内側に溶接されたスタッドナット等の雌ねじ部材７３にねじ５５を受容させて固定される。
【０００６】
ここで、前面扉２をヒンジ金具９５の開角規制角度まで開放した状態でさらに開方向に押圧すると、ヒンジ機構９５を介して雌ねじ部材７３およびその溶接部周辺に過大なモーメント負荷が作用する。このため、薄板等の金属材で構成されるキャビネットボックス１が塑性変形したり、雌ねじ部材７３の溶接部に割れが生じるという問題があった。
【０００７】
本発明は以上の問題に鑑み、薄板等の金属材で構成されるキャビネットボックスにおいて、前面扉の開放作動時に、ヒンジ機構を締着固定するための雌ねじ部材に過大なモーメント負荷が作用せず、キャビネットボックスの構成部材の剛性を向上させるようなキャビネットボックスを提供することを目的とする。
【課題を解決するための手段】
【０００８】
上記問題を解決するため本発明のキャビネットボックスは、金属材料の板金部材で形成されて前面開口を有して略矩形箱状に形成されたキャビネットボックスと、このキャビネットボックスの前面開口を覆ってヒンジ金具を介して取り付けられる前面扉と、キャビネットボックス内および前面扉に配設される遊技装置とから構成される遊技機のキャビネットボックスにおいて、キャビネットボックスの内壁面に設けられてヒンジ金具を固定するネジを受容するための雌ねじ部材と、この雌ねじ部材に対してキャビネットボックスの前面開口側に位置して設けられてヒンジ金具を支持する支持辺とを備える構成としている。
【０００９】
また、雌ねじ部材と支持辺とを一体の枠杆に設け、枠杆をキャビネットボックスにおける前面開口の一側縁に取り付ける構成としてもよい。
【発明の効果】
【００１０】
本発明のキャビネットボックスは、ヒンジ金具を締着固定するためのスタッドナットの前方（前面開口側）にヒンジ金具を支持する支持辺を設ける構成としている。これにより、開角規制角度を超えて前面扉が開かれたときにスタッドナットおよびその溶接部周辺に作用する回転モーメント負荷を支持辺が受け止めて支持することができるため、ヒンジ機構が固設される側壁の塑性変形あるいはスタッドナットの溶接部に割れが生じることを防止することができる。
【００１１】
また、キャビネットボックスの開口縁に枠杆を周設し、この枠杆に支持辺を一体形成するとともにスタッドナットを設け、回転モーメント負荷を枠杆全体が受け止める構成としているため、枠杆がキャビネットボックス全体を補強する部材として機能し、ヒンジ機構が固設される一側壁の塑性変形を防止するのみならず、キャビネットボックス全体の撓み変形を防止することが可能である。さらに、キャビネットボックスの組立工程において、各部の位置精度を一体の枠杆の部品精度内で管理することができるため高い位置精度で組立可能であるととともに、組立工数を削減することができる。
【発明を実施するための最良の形態】
【００１２】
以下、図面を参照しながら本発明に係るキャビネットボックスの実施形態について説明を行う。
【実施例１】
【００１３】
本発明に係るキャビネットボックスを有した遊技機の一例として挙げるスロットマシンの全体的な構成について、図１０，図１１を参照して説明する。このスロットマシンＳＭは、前面が開口した略矩形箱状のキャビネットボックス１と、ヒンジ機構５を介してキャビネットボックス１に開閉自在に取り付けられる前面扉２とから構成されており、スロットマシンＳＭの遊技装置がキャビネットボックス１内および前面扉２に配設されて全体をなす。
【００１４】
略矩形箱状のキャビネットボックス１内に配設される遊技装置としては、外部から電力供給を受けて内部装置に必要な電力を供給する電源ボックス３０、図柄が描かれた３つのリール３１ａ，３１ｂ，３１ｃを回転・停止させるリール装置３１、遊技者の操作に応じたリール装置３１の作動制御やその他スロットマシンＳＭの遊技制御を行うための主制御基板３２、主制御基板３２からの指令に基づいて遊技メダルの払い出しを行うメダル払出装置３３、遊技機の入賞データ等の遊技情報を管理するために遊技施設内に設置されたホールコンピュータ（図示せず）と主制御基板３２との間を接続するインターフェイスとしての外部集中端子基板３４等があり、それぞれ図１１に示すように配設される。
【００１５】
なお、メダル払出装置３３はキャビネットボックス１の底面１５上に配設される。配設に際して、メダル払出装置３３の下端部を折曲形成して左右方向に水平突出するフランジ脚部が設けられるとともに、この左右のフランジ脚部を外側からガイドして上面を挟みこむホッパーレール７７，７７が底面１５上に固設される。メダル払出装置３３は、このホッパーレール７７，７７のガイドにより前後方向に出入摺動するようにして取り付けられる。
【００１６】
一方前面扉２は、図１０に示すように、ドアフレーム状に成型されたフロントマスクに、リール外周面に描かれた図柄を所定範囲に限って視認可能に透過表示させる表示窓２１、表示窓２１の下側に左右に並んで配設された複数のスイッチやレバー等からなる操作部４、表示窓２１の上方に配設された表示装置２４、遊技メダルを払い出すメダル払出口２３の下側に位置してメダル払出口２３から排出される遊技メダルを受容し貯留するメダル受皿２２等が取り付けられて構成されている。
【００１７】
操作部４には、遊技メダルを投入するメダル投入口４１、１回の遊技に消費するメダル枚数を決定するベットボタン４２、リールの回転起動操作を行うスタートレバー４３、３つのリール３１ａ，３１ｂ，３１ｃに対応して設けられリールの回転停止をリールごとに操作可能なストップスイッチ４４ａ，４４ｂ，４４ｃ、獲得した遊技メダルの払出操作を行う精算スイッチ４６、メダル投入口４１から投入した遊技メダルを返却させるときに操作するメダル返却スイッチ４７等が設けられている。
【００１８】
また、図１１に示すように、前面扉２の裏面には、効果音を発するためのスピーカ３６、メダル投入口４１から投入された遊技メダルを受容する受付状態とメダル払出口２３から返却させる返却状態とに切り替えたり、投入された遊技メダルの真贋を判定して正規メダル以外の遊技メダルを返却させたりする機能を有するメダルセレクタ３７、メダルセレクタ３７からの遊技メダルを貯留または返却させる経路部材等が設けられるとともに、遊技状態を演出する多数のランプやＬＥＤ、これら表示機の作動を制御する中央表示基板３２および上部表示基板３９等が取り付けられている。
【００１９】
以上のように構成されるキャビネットボックス１と前面扉２とは、正面視における互いの左側縁の上下に設けられたヒンジ機構５，５で横開き開閉自在に連結されるとともに、両者に配設された遊技構成装置や基板等がワイヤーハーネス（図示せず）で電気的に接続されて作動可能に構成される。また、ヒンジ機構５，５を介してキャビネットボックス１に連結された前面扉２を開放状態にした際には、キャビネットボックス１全体が撓み変形して前面扉２の反ヒンジ側が垂れ下がる傾向があるため、前面扉２裏側にガイドローラ６４を設け、キャビネットボックス１内にローラ受け６５を設けて、前面扉２を閉鎖したときにガイドローラ６４をローラ受け６５に支持させて、前面扉２が水平に閉鎖保持されるように構成されている。さらに、前面扉２は、正面視における右側縁に取り付けられた施錠装置６（図４参照）を利用してキャビネットボックス１の前面開口部を覆うように閉鎖施錠され、この閉鎖状態でスロットマシンＳＭが遊技に供される。
【００２０】
以上のように構成されるスロットマシンＳＭにおいて、図３に外観斜視図を示した本実施例のキャビネットボックス１は、板厚0.5〜1.0mm程度（例えば、0.7mm）の冷間圧延鋼板、鍍金鋼板、ステンレス鋼板等を主要構成材料として用い、これを剪断、抜き、曲げ等の公知の加工手段によりパネル部材１０に成型した後、各パネル部材をスポット溶接等の接合手段により接合して組立構成している。例示するキャビネットボックス１は、天板面１１、背面１２、左右側面１３，１４、および下底面１５ａを形成するメインパネル１０ａ、上底面１５ｂを形成する上底面パネル１０ｂ等の各パネル部材がスポット溶接により接合して構成される。なお、開口部正面視において左側の側面を左側面１３、右側の側面を右側面１４としてこれ以降説明する。
【００２１】
キャビネットボックス１の天板面１１、背面１２、左右側面１３，１４、下底面１５ａは、所定形状に形成されたメインパネル１０ａを曲げ加工し、重ね合わせ部を溶接接合することにより形成されて前面開口を有した略矩形箱状のキャビネットボック１を構成する。即ち、本実施例に係るキャビネットボックス１の基本構造はメインパネル１０ａの一枚で形成されており、一面につき一枚のパネルを用いる等、複数枚のパネルで構成するよりも部品点数および組立工数を削減することができる。
【００２２】
天板面１１および背面１２には、キャビネットボックス１内から熱を放熱して主制御基板３２等の誤作動を防ぐための通気孔が予め穿設される。なお、通気孔は、例示する長孔や丸孔の他、所定形状の孔を多数設けてパンチングメタル状ないし格子状に形成してもよい。また、穿設孔の形成による方法のみならず、ルーバ加工やランス加工を施して通気させることも可能である。
【００２３】
天板面１１、背面１２および左右側面１３，１４において、リール装置３１、主制御基板３２等の遊技装置を締着固定するための雌ネジ部材７３が溶接される。雌ネジ部材７３としては、本実施例に適用したように、スタッドナットをキャビネット１内に突出するように溶接してもよいし、溶接六角ナットを各面１１〜１４の所定箇所に溶接し、溶接されたナットの呼び径に合わせた貫通孔を穿設して構成してもよい。また、雌ネジ部材７３は溶接に限らず、バーリング加工によって雌ねじ部材７３を一体成型する方法や、雌ネジ部材７３としてブラインドナットを適用し、これをかしめて固定してもよい。
【００２４】
左右側面１３，１４には、側面の撓み変形を抑制するため、エンボス加工（例えば、菱形状）が多数施されている。また、左右側面１３，１４の中央部には予め所要形状の貫通孔が穿設されており、鋼板材が絞り加工されてハット状に形成された取っ手部材７１，７１がキャビネットボックス１の内側からこの孔に覆設される。取っ手部材７１，７１は、フランジ部が左右側面１３，１４内側に当接され、絞り部がキャビネットボックス１内に水平に突出するように配設されており、フランジ部と側面内側との当接部においてスポット溶接によりメインパネル１０ａと接合される。
【００２５】
また、キャビネットボックス１内部で水平に突出した取っ手部材７１，７１の絞り部の上には、リール装置３１を載置するための棚板７２が取り付けられる。なお、棚板７２の取り付けは、溶接で棚板７２をキャビネットボックス１に固定する手段のほか、例えば、左右側面１３，１４の所定位置にスタッドナットを溶接しておき、このスタッドを用いて棚板７２を締結する手段や、左右側面１３，１４に予め所定ピッチでネジを設けた補助部材を溶接しておき、この補助部材に棚板７２をネジ締結する手段、左右側面１３，１４の所定位置に係止フックを溶接しておき、この係止フックに棚板７２を係止させる手段など、どの様な手段で取り付けてもよい。但し、溶接以外の手段を用いる場合には、棚板７２がキャビネットボックス１に確実に電気的に接続されるよう取り付ける点に留意し、例えば、棚板７２をユニクロメッキ仕上げにするとともにキャビネットボックス１側のネジ部を無塗装とし、ネジを介して電気的に接続させる手段や、キャビネットボックス１と棚板７２とにそれぞれスタッドナットを溶接しておき、これ等のスタッドナット間をアース線で電気的に接続させる等の手段を採ることが好ましい。
【００２６】
また、天板面１１の左右には、この天板面１１の上下を貫通してスリット状の貫通孔部１１ａ，１１ａが形成されており、左右側面１３，１４において貫通孔部１１ａ，１１ａ直下に図示しないボルトとナットを用いて固定装置７４，７４が取り付けられる。固定装置７４は、内蔵する鋸刃状に形成された鋼板材を貫通孔部１１ａからばねの弾性力を利用することにより出入操作自在に構成されて、突出状態において鋸刃状の鋼板材を一般に木製の筐体設置枠（図示せず）に押圧することにより係合固定させる。このような固定手段によって、設置枠上方からキャビネットボックスへの釘打ちという従来の固定手段を用いることが困難な金属製キャビネットにおいても、天板面１１と設置枠との固定が可能となる。
【００２７】
また、左側面１３には、主制御基板３２と中央制御基板３７および上部制御基板３８との間、あるいは主制御基板３２と電源ボックス３０との間等を連結するワイヤーハーネスを係止するためのハーネス係止具７５が取り付けられる。このハーネス係止具７５は、指力により変形可能な金属部材（例えば、SPC 0.8mm）をＣ字状に加工して形成される。また、ハーネス係止具７５の端部は、ワイヤーハーネスの損傷を防ぐために、バリ取り処理とともに樹脂部材が被覆され、例えば塩化ビニル材等がディッピング処理により所定厚で被覆される被覆される。このようにして形成されるハーネス係止具７５は、左側面１３内側にスポット溶接により接合される。
【００２８】
底面１５は、メインパネル１０ａの曲げ加工により形成される下底面１５ａ上に上底面パネル１０ｂを接合して構成される。上底面パネル１０ｂには、略矩形状に成型された鋼板材の辺がＺ字状に折曲されることによりフランジ部が形成されるとともに、中央部に切欠部が設けられる。また、電源ボックス３０およびホッパーレール７７を締着固定するための雌ネジ部材７３としてスタッドナットが上底面パネル１０ｂの裏側に溶接されて、表側からこのスタッドナットの呼び径に合わせて貫通孔が穿設される。なお、上底面パネルの曲げ高さはスタッドナットと同長に設定され、このように形成された上底面パネル１０ｂが下底面１５ａのほぼ全体を覆うように配設されて、フランジ部を下底面１５ａとスポット溶接等により接合し、平板状の上底面１５ｂが形成される。同時に上底面パネル１０ｂの裏面に溶接されたスタッドナットの他端部は、ナットと曲げ高さとが同長のため下底面１５ａに当接され、底面１５は、上底面１５ｂと下底面１５ａとの間にスタッドナットを介設した中空二重構造となる。
【００２９】
さらに、底面１５の中央部は、中央部を切欠された上底面パネル１０ｂが下方凹設され、上底面１５ｂと下底面１５ａとが当接されて両者がスポット溶接により接合されている。また、この凹部には小孔が穿設されており、この小孔を介してキャビネットボックス１内から、一般に木製の筐体設置枠（図示せず）に対して釘打ちすることによってキャビネットボックス１を筐体設置枠に固定することが可能となっている。なお、底面１５右側においては、メダル貯留部の貯留許容量を超えた余剰メダルが設置枠台内部に配設されたメダルコンベヤ（図示せず）に回収されるように、余剰メダルを設置枠台内部に通過落下させるための貫通孔が穿設されている。貫通孔は、所定位置において上底面パネル１０ｂおよび下底面１５ａを形成するメインパネル１０ａが穴抜きされた後、上底面１５ｂと下底面１５ａとの間の中空部にメダルが落入しないように、上底面１５ｂを下方に絞り加工するとともに下底面１５ａを上方に絞り加工を行い、両者の絞り部を当接させて設けられる。また、メダルコンベヤを設置していない遊技施設においては、この貫通孔の上に補助貯留ボックス７６が覆設されて、ボックス内に余剰メダルを回収する。
【００３０】
また、電源ボックス３０、および外部集中端子基板３４の固定は、平板状に形成されて裏側に雌ネジ部材７３としてスタッドナットが溶接されるとともにナットの呼び径に合わせて貫通孔が穿設されたブラケットパネル１０ｄ，１０ｅを介して行われる。電源ボックス３０を固定するためのブラケットパネル１０ｄは、図３に示すように、左側面１３下部を覆うようにして配設されて、３つのフランジ部が背面１２、左側面１３にそれぞれスポット溶接により接合される。図１１中に付記するIV−IV矢視方向に見た側面図を図４に示し、図４中のVa−Va矢視図を図５（ａ）、Vb−Vb矢視図を図５（ｂ）に示すように、外部集中端子基板３４を固定するブラケットパネル１０ｅは、曲折されたフランジが右側面１４にスポット溶接により接合される。そして、このように配設されるブラケットパネル１０ｄ，１０ｅの内側支持面に、電源ボックス３０および外部集中端子基板３４がそれぞれ当接されて締着固定される。ブラケットを介して固定することにより、板厚が薄くなった金属製キャビネットでも従来の木工キャビネットと同様の固定位置で固定できる。
【００３１】
前面扉２の閉鎖状態を保持するための施錠装置６は、図４，図１１に示すように、前面扉２の表側に設けられた解錠口６１と、前面扉２の裏側に配設されて解錠口６１の回転に伴って上下揺動する施錠フック６２と、キャビネットボックス１の右側面１４に配設されて前面扉２の閉鎖状態および施錠フック６２の上方保持状態で施錠フック６２と係合する受け金具６３とから構成される。また、受け金具６３は、右側面１４の開口辺縁近傍に上下に延びて配設される固定ブラケット６６に一体形成されており、右側面１４の開口辺縁部には固定ブラケット６６を締結するための雄ネジ５３を需要する雌ねじ部材７３としてスタッドナットが溶接接合されている。
【００３２】
なお、右側面１４の前面開口縁は開口内側に折曲されており、その曲げ高さは、右側面１４の開口辺縁の近傍に接合されているスタッドナットと同長に形成されている。このため、固定ブラケット６６が取り付けられると、この内向折曲辺が固定ブラケット６６を当接支持し、支持辺Ｅとしての役割を果たす。ここで、例えば、解錠口の回転がされないあるいは不充分な状態で前面扉２を開放しようとすると、即ち、施錠フック６２と受け金具６３との傾動状態が完全に解除されない状態で開放方向に力が加えられると、受け金具６３と一体の固定ブラケット６６を介してキャビネットボックス１に回転モーメントが作用する。しかし、支持辺Ｅがそのモーメントを支持するためスタッドナット及びその溶接部周辺に作用が及ぶことはなく、右側面１４の塑性変形を抑制し、スタッドナットの溶接部の割れを防止することが可能で、キャビネットボックス１の剛性を高めることができる。
【００３３】
キャビネットボックス１と前面扉２とを連結して前面扉２を開閉自在に構成するためのヒンジ機構５は、図１にヒンジ機構５部分の平断面図を示すように、いわゆるスライドヒンジを用いた例を示しており、前面扉２に固定するカップ５１と、カップ５１にリンクを介して回動可能に連結されたアーム５２を具備する装着部材５３と、装着部材５３を嵌着してキャビネットボックス１の内壁面に固定する固定座５４とから構成される。また、図＃中に前面扉の開閉状態を二点鎖線で、開閉作動範囲を矢印Ｒで示すように、遊技施設内で隣接する遊技機との干渉防止あるいは周囲の遊技者への遊技妨害防止のために、略１００度の開角規制が設けられている。
【００３４】
ヒンジ機構５は、固定座５４に設けられた穿設孔から左側面１３にねじ締結することによりキャビネットボックス１の上下に固定される。ヒンジ機構５は左側面１３の上下二箇所に固設され、ヒンジ機構５を固定するための雄ねじ５５を受容する雌ねじ部材７３としてスタッドナットが固定座５４の穿設孔のピッチに合わせ、開口縁近傍に溶接接合されている。
【００３５】
なお、図示のように、左側面１３の前面開口縁は開口内側に折曲されており、その曲げ高さは、左側面１３の開口辺縁の近傍に接合されているスタッドナットと同長に形成されている。このため、ヒンジ機構５が取り付けられると、この内向折曲辺が固定座５２を当接支持し、支持辺Ｅとしての役割を果たす。また、この支持辺Ｅは左側面１３の前面開口辺縁部に上下に延びて形成される。
【００３６】
以上のように構成される左側面１３およびヒンジ機構５において、前面扉２がヒンジ機構５の開角規制角度まで開放されて、矢印Ｒの範囲を超えてさらに開方向に押圧されると、固定座に平面視時計回りの回転モーメントが作用する。しかし、固定座先端部に当接する支持辺Ｅがそのモーメントを支持し、スタッドナットおよびその溶接部周辺に作用する回転モーメントを受け止め、左側面１３の塑性変形を抑制し、スタッドナットの溶接部に割れが生じる等を防止することが可能で、キャビネットボックス１の剛性を高めることができる。
【００３７】
なお、図２に示すように、支持辺Ｅをさらにキャビネットボックス１の内方へ垂直折曲して水平フランジＦを形成する構成としてもよい。このように構成することにより、ヒンジ機構５の取り付けが安定化するとともに、上記実施例と同様にして、スタッドナットおよびその溶接部周辺に過大なモーメント負荷が作用することを防止でき、キャビネットボックス１の剛性を高めることができる。
【実施例２】
【００３８】
次いで、本発明に係るキャビネットボックスのその他の実施形態について、図６，図７，図８，図９を参照して説明する。なお、実施例１で説明したものと同一の部材に関しては同一の符号を用いて説明するとともに、実施例２において本発明に係るキャビネットボックスを有する遊技機の一例として挙げるスロットマシンＳＭの基本構造は図１０，図１１に示すように実施例１で説明したものと同様のものであり、重複説明を省略する。
【００３９】
実施例２においては、キャビネットボックス１前面の開口縁部に断面コ字状に形成された４つの枠杆１０ｃが辺縁全周を繋ぐように設けられている。枠杆１０ｃは、メインパネル１０ａよりも厚い板厚（例えば、板厚：1.2〜2.3mm程度）の鋼板をプレス成型して図示する形状に形成され、例えば枠杆下端角部等の所定位置を基準として、前面開口縁近傍に配設される遊技装置や組立部材を取り付けるために、自動スタッド溶接機等により雌ねじ部材７３としてスタッドナットが一体に溶着される。そして、このように各部位置精度が保たれた枠杆１０ｃがキャビネットボックス１前面の開口縁部において辺縁全周を繋ぐように設けられている。また、枠杆１０ｃの前面開口側に位置する側辺はさらに直角内方に折曲されて水平フランジＦが形成されている。例えば、天板面１１においては図９に示すように枠杆１０ｃが配設される。なお、枠杆１０ｃの側辺形成における曲げ起こし高さは、溶着されるスタッドナットと同長にして形成される。
【００４０】
また、前面開口縁部近傍に配設される遊技装置や組立部材を取り付けるための雌ねじ部材７３として、例えばスタッドナットが枠杆１０ｃ上に溶接接合され、図６の断面図に示すように、ヒンジ機構５を締着固定するためのスタッドナットは左側面１３に配設される枠杆１０ｃ上に、固定座５４に設けられた穿設孔のピッチに合わせて取り付けられる。同様にして、図８の断面図に示すように固定ブラケット６６を締着固定するためのスタッドナットが右側面１４に配設される枠杆１０ｃ上に、ホッパーレール７７の固定ブラケットを締着固定するためのスタッドナットが下底面１５ａに配設される枠杆１０ｃ上にそれぞれ溶着される。なお、天板面１１、右側面１４、下底面１５ａに配設される枠杆１０ｃのコ字状凹部は直線的な平面に形成されているが、左側面１３においては、図６に示すように、ヒンジ機構５，５の締着固定に用いるスタッドナット周辺については、取り付けられる固定座５４，５４の奥行き分だけコ字状凹部が背面１２方向に拡幅するように形成されている。
【００４１】
このようにして構成される左側面１３の開口縁部にヒンジ機構５を固定すると、枠杆１０ｃの前面開口側の側辺（水平フランジＦを有する辺）がスタッドナットと同長に形成されているため、ヒンジ機構５の固定座５４に当接し実施例１の支持辺Ｅの役割を果たす。よって、前面扉２をヒンジ機構５の開角規制角度まで開放してさらに開方向に押圧しても、実施例１と同様にして、支持辺Ｅおよび水平フランジＦがスタッドナットおよびその溶接部周辺に作用するモーメント負荷を受け止めるため、左側面１３の塑性変形を抑制し、スタッドナットの溶接部の割れを防止してキャビネットボックス１の剛性を高めることができる。
【００４２】
同様にして右側面１４においても、固定ブラケット６６をスタッドナットに取り付けると枠杆１０ｃの開口縁側の側辺が固定ブラケットと当接して支持辺Ｅの役割を果たす。このため、解錠口６１が充分に回転されない状態で開放方向に力を加えられたときに受け金具６３を介してスタッドナットおよびその溶接部周辺に作用する回転モーメントを支持辺Ｅが受け止め、右側面１４の塑性変形を抑制し、スタッドナットの溶接部の割れを防止することが可能である。
【００４３】
また、この支持辺Ｅが、枠杆１０ｃと一体形成されて構成されることから、右側面１４および左側面１３に作用する回転モーメント負荷が支持辺Ｅを介して開口辺縁に全周を繋ぐようにして取り付けられた枠杆１０ｃによって受け止められるため、キャビネットボックス１全体が撓み変形することを大幅に抑制することができる。さらに組立工程において、固定ブラケット６６を締着固定するためのスタッドナットの位置決定を枠杆１０ｃの部品精度内で管理することができ、多数のスタッドナットをキャビネットボックス１にそれぞれ直接接合する際と比較して、位置精度を高めることが可能であるとともに組立工数を削減することができる。
【００４４】
なお、実施例１，２において、本発明に係るキャビネットボックス１を有する遊技機としてスロットマシンＳＭを例示したが、本発明はこれに限定されるものではなく、ポーカー、ブラックジャック等、他のキャビネットボックスを有して構成される遊技機のキャビネットボックスであっても同様に適用可能であり、同様の効果を得ることができる。
【図面の簡単な説明】
【００４５】
【図１】第１の本発明に係るキャビネットボックスにおけるヒンジ機構部の平断面図であり、図１１中のI−I矢視方向に見た矢視図である。
【図２】第一の本発明に係わるキャビネットボックスにおけるヒンジ機構部の変更例を示す平断面図である。
【図３】第１の本発明に係るキャビネットボックスの外観斜視図である。
【図４】第１の本発明に係るキャビネットボックスの右側面を、図１１中のIV−IV矢視方向に見た側面図である。
【図５】第１の本発明に係るキャビネットボックスの右側面の断面図であり、（ａ）は図４中のVa−Va矢視方向に見た断面図であり、（ｂ）は図４中のVb−Vb矢視方向に見た断面図である。
【図６】第２の本発明に係るキャビネットボックスにおけるヒンジ機構部の平断面図である。
【図７】第２の本発明に係るキャビネットボックスの外観斜視図である。
【図８】第２の本発明に係るキャビネットボックスの右側面を図１１中のVIII−VIII矢視方向に見た断面図である。
【図９】第２の本発明に係るキャビネットボックスの天板面の断面図である。
【図１０】本発明に係るキャビネットボックスを有して構成される遊技機の一例として示すスロットマシンの外観斜視図である。
【図１１】本発明に係るキャビネットボックスを有して構成される遊技機の一例として示すスロットマシンの内部構造を示す正面図である。
【図１２】従来のキャビネットボックスにおけるヒンジ機構部の平断面図である。
【符号の説明】
【００４６】
ＳＭ  スロットマシン
１  キャビネットボックス
２  前面扉
３  遊技装置
４  操作部
５  ヒンジ機構
６  施錠装置
１０  パネル部材
１０ｃ  枠杆
１３  左側面
１４  右側面
５１  カップ
５２  アーム
５３  装着部材
５４  固定座
５５  雄ネジ
６１  解錠口
６２  施錠フック
６３  受け金具
６４  ガイドローラ
６５  ローラ受け
６６  固定ブラケット
７３  雌ねじ部材
Ｅ  支持辺
Ｆ  水平フランジ
【図１】
2005198946.tif 000003
【図２】
2005198946.tif 000004
【図３】
2005198946.tif 000005
【図４】
2005198946.tif 000006
【図５】
2005198946.tif 000007
【図６】
2005198946.tif 000008
【図７】
2005198946.tif 000009
【図８】
2005198946.tif 000010
【図９】
2005198946.tif 000011
【図１０】
2005198946.tif 000012
【図１１】
2005198946.tif 000013
【図１２】
2005198946.tif 000014